(57)【要約】    【課題】      暗証番号を入力する指の動きを他人に見られても入力した暗証番号の判別が困難で暗証番号が漏洩しにくく、かつ暗証番号の入力を短時間で行うことができるようにすること。    【解決手段】  制御部１０３は、ユーザがテンキー１０１を操作して選択した数字キー１０１ａの数字を数字表示部１０２ａに表示する。また、制御部１０３は、ユーザがテンキー１０１を操作して選択した数字キー１０１ａの数字を暗証番号の入力として受け付けないときに、ユーザにその旨を通知するための操作ガイドを操作ガイド表示部１０２ｂに表示する。これにより、ユーザによる数字キー１０１ａの押下を暗証番号の入力として受け付けない場合に、ユーザは暗証番号と関連のない数字キー１０１ａをランダムに押下でき、入力した暗証番号の他人による判別が困難となる。  【選択図】      図１
2006065411.tif 000002
【特許請求の範囲】
【請求項１】
暗証番号に対応した数字または記号を入力するための複数の入力キーと、
前記入力キーにより入力した前記暗証番号に対応した数字または記号を表示する表示部と、
前記入力キーの押下を前記暗証番号の入力として受け付けるか否かをランダムに決定し、前記入力キーの押下を前記暗証番号の入力として受け付ける場合のみ、前記表示部に前記入力キーにより入力した前記暗証番号に対応した数字または記号を表示するように制御する制御部と、を具備することを特徴とする暗証番号入力装置。
【請求項２】
前記入力キーの押下を前記暗証番号の入力として受け付けない場合に、その旨の操作ガイドと、ユーザに対して前記入力キーの押下を促す操作ガイドとを表示する操作ガイド表示部を有していることを特徴とする請求項１記載の暗証番号入力装置。
【請求項３】
暗証番号に対応した数字または記号を入力する入力ステップと、
前記入力ステップで入力した前記暗証番号に対応した数字または記号を表示する表示ステップと、
前記入力ステップでの入力を前記暗証番号の入力として受け付けるか否かをランダムに決定し、前記入力ステップでの入力を前記暗証番号の入力として受け付ける場合のみ、前記表示ステップにおいて前記入力ステップで入力した前記暗証番号に対応した数字または記号を表示するように制御する制御ステップと、を具備することを特徴とする暗証番号入力方法。
【請求項４】
前記入力ステップでの入力を前記暗証番号の入力として受け付けない場合は、前記入力ステップでの前記暗証番号の入力が次の桁に進まないことを特徴とする請求項３記載の暗証番号入力方法。
【発明の詳細な説明】
【技術分野】
【０００１】
本発明は、暗証番号入力装置および入力方法に関し、詳しくは、クレジット端末機、デビット端末機、キャッシュディスペンサ（ＣＤ）、携帯電話装置等に有用な暗証番号入力装置および入力方法に関する。
【背景技術】
【０００２】
近年、キャッシュディスペンサや、デビット端末機（商品代金をオンラインにより銀行口座から即時に引き落とす端末機）などの普及により、銀行口座から預金を引き出す場合等に、ユーザの身分証明のために、暗証番号入力装置を用いて暗証番号を入力する機会が増えている。また、最近では、携帯電話装置にキャッシュカードの機能を持たせ、キャッシュカードの代わりに携帯電話装置を使用することも行われている。
【０００３】
前記暗証番号入力装置としては、キャッシュディスペンサやデビット端末機などの暗証キーパッドや、携帯電話装置のキーパッドのように、テンキーの「０」から「９」の数字に対応する数字キーを操作することにより数字からなる暗証番号の入力を行うものが多い。
【０００４】
このような暗証番号入力装置では、例えば、４桁の数字からなる暗証暗号を入力する場合、ユーザは、「０」から「９」の数字キーのうちのいずれかを押下することにより暗証番号の１桁目を入力する。これにより、暗証番号入力装置の表示部（ディスプレイ画面）には、数字キーにより入力された数字が表示される。次いで、ユーザは、１桁目の暗証番号の入力と同様にして、「０」から「９」までの数字キーのうちの該当するキーを押下し、２桁目から４桁目の暗証番号を順次入力していく。
【０００５】
ところで、この暗証番号入力装置を用いて入力される暗証番号は、ユーザ本人のみが所有している身分証明のための認証情報であり、他人に知られてはならないものである。従って、この種の暗証番号入力装置においては、ユーザが入力した数字を他人から見られないようにするために、暗証番号の入力時におけるセキュリティー性を高めることが求められている。
【０００６】
そこで、このような暗証番号の入力時におけるセキュリティー性を持たせる暗証番号入力方法の１つとして、暗証番号入力装置の表示部に、入力された数字キーの数字ではなく「＊」等の記号を表示する入力方法がある。
【０００７】
しかしながら、「０」〜「９」の数字キーを操作して暗証番号を入力する暗証番号入力装置においては、その表示部に入力した数字を表示しないようにしても、数字キーを押下するユーザの指の動きからどの数字キーを押下したかが分ってしまうおそれが高い。
【０００８】
このため、このような暗証番号入力装置では、数字キーを押下するユーザの指の動きを近隣にいる他人に読み取られて暗証番号が漏洩してしまうという問題点があった。
【０００９】
このような問題点を解消する暗証番号入力装置および入力方法として、数字を選択する選択キーが押下されている間は選択対象の数字を所定時間周期で変化させ、選択キーが押下されなくなると数字の変化を止めて、そのとき選択されている数字を暗証番号として入力するものが知られている（例えば、特許文献１参照）。
【特許文献１】特開２００１−３０６８２６号公報
【発明の開示】
【発明が解決しようとする課題】
【００１０】
しかしながら、特許文献１記載の暗証番号入力装置および入力方法では、選択キーを操作して暗証番号を入力する際に、選択対象の数字を所定時間周期で変化させるため、所望の数字が現れるまで時間がかかり、暗証番号を全て入力するのに時間がかかってしまうという問題点があった。
【００１１】
本発明は、かかる点に鑑みてなされたもので、暗証番号を入力する指の動きを他人に見られても入力した暗証番号の判別が困難で暗証番号が漏洩しにくく、かつ暗証番号の入力を短時間で行うことができる暗証番号入力装置および入力方法を提供することを目的とする。
【課題を解決するための手段】
【００１２】
かかる課題を解決するため、本発明の暗証番号入力装置は、暗証番号に対応した数字または記号を入力するための複数の入力キーと、前記入力キーにより入力した前記暗証番号に対応した数字または記号を表示する表示部と、前記入力キーの押下を前記暗証番号の入力として受け付けるか否かをランダムに決定し、前記入力キーの押下を前記暗証番号の入力として受け付ける場合のみ、前記表示部に前記入力キーにより入力した前記暗証番号に対応した数字または記号を表示するように制御する制御部と、を具備する構成を採る。
【発明の効果】
【００１３】
本発明によれば、暗証番号を入力する指の動きを他人に見られても入力した暗証番号の判別が他人には困難であるので、暗証番号が漏洩しにくく、かつ暗証番号の入力を短時間で行うことができる。
【発明を実施するための最良の形態】
【００１４】
以下、本発明の実施の形態について、図面を参照して詳細に説明する。図１は、本発明の一実施の形態に係る暗証番号入力装置の全体構成を示す概略構成図である。
【００１５】
図１に示すように、本実施の形態に係る暗証番号入力装置１００は、テンキー１０１と、表示部１０２と、制御部１０３と、を備えている。
【００１６】
図１において、テンキー１０１は、「０」から「９」の数字に対応する１０個の数字キー１０１ａで構成されている。
【００１７】
表示部１０２は、ユーザがテンキー１０１を操作して選択した数字キー１０１ａの数字を表示する数字表示部１０２ａと、ユーザが暗証番号を入力する際の操作ガイドを表示する操作ガイド表示部１０２ｂと、を有している。
【００１８】
制御部１０３は、ユーザがテンキー１０１を操作して選択した数字キー１０１ａの数字を数字表示部１０２ａに表示するように表示部１０２を制御する。また、制御部１０３は、ユーザがテンキー１０１を操作して選択した数字キー１０１ａの数字を暗証番号の入力として受け付けないときに、ユーザにその旨を通知するための操作ガイドを操作ガイド表示部１０２ｂに表示するように表示部１０２を制御する。
【００１９】
次に、図２から図５を用いて、本実施の形態に係る暗証番号入力装置１００の動作について説明する。図２は、本実施の形態に係る暗証番号入力装置１００の動作を示すフローチャートである。図３は、図２に示すフローチャートにおけるステップＳＴ２０２での表示部１０２の表示例を示す図である。図４は、図２に示すフローチャートにおけるステップＳＴ２０４での表示部１０２の表示例を示す図である。図５は、図２に示すフローチャートにおけるステップＳＴ２０６での表示部１０２の表示例を示す図である。
【００２０】
図２において、ユーザによる暗証番号の入力が開始されると、制御部１０３は、ユーザがテンキー１０１を操作して選択した数字キー１０１ａの押下を、暗証番号の入力として受け付けるか否か（暗証番号入力を受け付けるか？）の判断をランダムに決定する（ステップＳＴ２０１）。
【００２１】
ここで、数字キー１０１ａの押下を暗証番号の入力として受け付けるか否かランダムに決定する方法としては、例えば、乱数発生手段により乱数を発生させ、それが偶数か奇数かで決定する方法等を用いることができる。
【００２２】
ステップＳＴ２０１において、数字キー１０１ａの押下を暗証番号の入力として受け付ける（ステップＳＴ２０１で「ＹＥＳ」）と決定された場合には、表示部１０２の操作ガイド表示部１０２ｂに暗証番号入力の操作ガイドを表示し、ユーザに暗証番号入力を促す（ステップＳＴ２０２）。
【００２３】
ここでは、ユーザが１桁目の暗証番号の入力する際の例を示しており、図３に示すように、表示部１０２の操作ガイド表示部１０２ｂに、ユーザに暗証番号入力を促すための「暗証番号を入力してください」との操作ガイドが表示される。
【００２４】
次に、ユーザが数字キー１０１ａを押下したか否か（ユーザの数字選択有り？）の判定をする（ステップＳＴ２０３）。ここで、ユーザが１桁目の暗証番号の数字キー１０１ａを押下していない（ステップＳＴ２０３で「ＮＯ」）との判定がなされた場合には、ステップＳＴ２０３の判定を繰り返し、ユーザの暗証番号入力を待つ。
【００２５】
また、ステップＳＴ２０３において、ユーザが１桁目の暗証番号の数字キー１０１ａを押下した（ステップＳＴ２０３で「ＹＥＳ」）との判定がなされた場合には、ユーザが選択した数字キー１０１ａの数字を表示部１０２の数字表示部１０２ａに表示する（ステップＳＴ２０４）。ここでは、図４に示すように、ユーザが１桁目の暗証番号である数字「１」の数字キー１０１ａを押下し、この数字キー１０１ａの数字「１」が表示部１０２の数字表示部１０２ａに表示された例を示している。
【００２６】
次に、ユーザによる暗証番号の全桁の入力が終了したか否か（暗証番号全桁入力？）を判定する（ステップＳＴ２０５）。ここで、ユーザによる暗証番号の全桁の入力が終了した（ステップＳＴ２０５で「ＹＥＳ」）との判定がなされた場合には、暗証番号の入力を終了する。
【００２７】
また、ステップＳＴ２０５において、ユーザによる暗証番号の全桁の入力が終了していない（ステップＳＴ２０５で「ＮＯ」）との判定がなされた場合には、ステップＳＴ２０１へ戻って、ステップＳＴ２０２からステップＳＴ２０４が再び実行され、次の桁の暗証番号の入力が行われる。
【００２８】
一方、ステップＳＴ２０１において、ユーザによる数字キー１０１ａの押下を暗証番号の入力として受け付けない（ステップＳＴ２０１で「ＮＯ」）と決定された場合には、図５に示すように、表示部１０２の操作ガイド表示部１０２ｂに、その旨を示す「どれかキーを押してください」との操作ガイドを表示して、ユーザにテンキー１０１の数字キー１０１ａの押下を促す（ステップＳＴ２０６）。なお、図５は、ユーザが１桁目の暗証番号入力した後、ユーザが選択した２桁目の数字キー１０１ａの入力を受け付けない旨の決定をした場合の例を示している。
【００２９】
次に、ステップＳＴ２０７においてユーザがテンキー１０１の数字キー１０１ａを押下したか否か（ユーザの数字キー選択有り？）を判定する。ここで、ユーザがテンキー１０１の数字キー１０１ａを押下していない（ステップＳＴ２０７で「ＮＯ」）との判定がなされた場合には、ステップＳＴ２０７の判定を繰り返し、ユーザによる数字キー１０１ａの押下を待つ。そして、ステップＳＴ２０７において、ユーザが数字キー１０１ａを押下した（ステップＳＴ２０７で「ＹＥＳ」）との判定がなされた場合には、数字キー１０１ａの押下を暗証番号の入力として受け付けずにステップＳＴ２０５へ進む。
【００３０】
このように、ステップＳＴ２０１において、ユーザによる数字キー１０１ａの押下を暗証番号の入力として受け付けない（ステップＳＴ２０１で「ＮＯ」）と決定された場合には、ユーザは暗証番号と関連のない数字キー１０１ａをランダムに押下することができる。
【００３１】
従って、本実施の形態に係る暗証番号入力装置１００においては、ユーザがテンキー１０１の数字キー１０１ａを押下して暗証番号を入力する際に、数字キー１０１ａを押下している指の動きを他人に見られても、入力した暗証番号を判別することが困難となる。
【００３２】
また、ユーザが複数桁の暗証番号を入力する際に、この暗証番号と関連のない数字キー１０１ａを押下する回数は暗証番号の桁数と同程度とすることができるので、暗証番号の入力を短時間で行うことができる。
【００３３】
なお、本実施の形態に係る暗証番号入力装置１００においては、暗証番号が４桁の数字である場合の例を示したが、これ以外の桁数の数字あるいは文字等であっても有効であることは明らかである。
【００３４】
また、本実施の形態に係る暗証番号入力装置１００においては、表示部１０２の数字表示部１０２ａに、入力された暗証番号の数字を表示する例を示したが、この数字を他人に読み取られないように、暗証番号を数字ではなく「＊」等の記号で表示するようにすることもできる。
【００３５】
また、本実施の形態に係る暗証番号入力装置１００においては、表示部１０２の操作ガイド表示部１０２ｂに、入力時の操作ガイドを文字で表示する例を示したが、操作ガイド表示部１０２ｂの替わりにスピーカを設けて、入力時の操作ガイドを音声で知らせるようにしてもよい。
【００３６】
さらに、本実施の形態に係る暗証番号入力装置１００においては、操作ガイド表示部１０２ｂとスピーカとの両方を設けて、入力時の操作ガイドを文字と音声とで知らせるようにすることも可能である。
【産業上の利用可能性】
【００３７】
本発明に係る暗証番号入力装置は、暗証番号を入力する指の動きを他人に見られても、入力した暗証番号の判別が他人には困難であるので暗証番号が漏洩しにくく、かつ暗証番号の入力を短時間で行うことができるので、暗証番号の入力を必要とするクレジット端末機、デビット端末機、キャッシュディスペンサ（ＣＤ）、携帯電話等の暗証番号入力装置として有用である。
【図面の簡単な説明】
【００３８】
【図１】本発明の一実施の形態に係る暗証番号入力装置の構成を示す概略構成図
【図２】本発明の一実施の形態に係る暗証番号入力装置の動作を示すフローチャート
【図３】図２のフローチャートにおけるステップＳＴ２０２での表示部の表示例を示す図
【図４】図２のフローチャートにおけるステップＳＴ２０４での表示部の表示例を示す図
【図５】図２のフローチャートにおけるステップＳＴ２０６での表示部の表示例を示す図
【符号の説明】
【００３９】
１００  暗証番号入力装置
１０１  テンキー
１０１ａ  数字キー
１０２  表示部
１０２ａ  数字表示部
１０２ｂ  操作ガイド表示部
１０３  制御部
【図１】
2006065411.tif 000003
【図２】
2006065411.tif 000004
【図３】
2006065411.tif 000005
【図４】
2006065411.tif 000006
【図５】
2006065411.tif 000007